(57)【要約】【課題】各生徒の通学路に関係ある危険情報だけを生徒が携帯する携帯端末に表示する。【解決手段】ＩＣタグリーダライタ３０はＩＣタグ５６から生徒ＩＤを取得して学校サーバ４０に送信し、学校サーバ４０は受信した生徒ＩＤが登録されていた場合に、危険情報を抽出してＩＣタグリーダライタ３０を介してＩＣタグ５６に書き込み、生徒携帯端末５０は予め記憶部５８に登録された通学路の位置情報を取得してＩＣタグ５６に書き込まれた危険情報に含まれる危険地点の位置情報と照合し、照合の結果一致した場合に危険情報を表示し、一致しなかった場合は危険地点と通学路間の距離を算出し、その距離が所定距離以内であった場合に危険情報を表示し、危険地点の位置情報と通学路の位置情報が一致した場合、または、危険地点と通学路間の距離が所定距離以内であった場合に、生徒携帯端末５０は危険情報を所定の相手に送信する。【選択図】      図１
2008003828.tif 000002
【特許請求の範囲】
【請求項１】
学校の出入口等に設置されたＩＣタグリーダライタと、学校サーバと、生徒携帯端末とを備えた通学路の危険情報通知システムであって、
前記ＩＣタグリーダライタは、前記生徒携帯端末に備えられたＩＣタグから生徒ＩＤを取得して前記学校サーバに送信する手段と、前記学校サーバから受信した危険情報を前記ＩＣタグに書き込む手段とを有し、
前記学校サーバは、生徒情報が登録された第１のデータベースと、危険情報が登録された第２のデータベースと、受信した生徒ＩＤが前記第１のデータベースに登録されているかを照合する手段と、登録されていた場合に、前記第２のデータベースから危険情報を抽出して前記ＩＣタグリーダライタに送信する手段とを有し、
前記生徒携帯端末は、通学路の位置情報が登録された記憶手段と、前記ＩＣタグに書き込まれた危険情報に含まれる危険地点の位置情報と前記記憶手段に登録された通学路の位置情報とを照合する手段と、照合の結果一致した場合に危険情報を表示する手段と、一致しなかった場合は危険地点と通学路間の距離を算出し、その距離が所定距離以内かを判別する手段と、所定距離以内であった場合に危険情報を表示する手段とを有することを特徴とする通学路の危険情報通知システム。
【請求項２】
前記ＩＣタグリーダライタは、自装置が登校時，下校時のいずれに設定されているかを検出する手段をさらに有し、生徒ＩＤを前記学校サーバに送信するときに登校時または下校時の情報を併せて送信し、前記学校サーバは下校時情報を受信した場合に前記危険情報の抽出，送信処理を行うことを特徴とする請求項１記載の通学路の危険情報通知システム。
【請求項３】
生徒携帯端末と学校サーバとを備えた通学路の危険情報通知システムであって、
前記生徒携帯端末は、通学路の位置情報が登録された記憶手段と、前記学校サーバに生徒ＩＤを送信し危険情報の提供を要求する手段と、前記学校サーバから受信した危険情報に含まれる危険地点の位置情報と前記記憶手段に登録された通学路の位置情報とを照合する手段と、照合の結果一致した場合に危険情報を表示する手段と、一致しなかった場合は危険地点と通学路間の距離を算出し、その距離が所定距離以内かを判別する手段と、所定距離以内であった場合に危険情報を表示する手段とを有し、
前記学校サーバは、生徒情報が登録された第１のデータベースと、危険情報が登録された第２のデータベースと、受信した生徒ＩＤが前記第１のデータベースに登録されているかを照合する手段と、登録されていた場合に、前記第２のデータベースから危険情報を抽出して前記生徒携帯端末に送信する手段とを有することを特徴とする通学路の危険情報通知システム。
【請求項４】
前記生徒携帯端末は、危険地点の位置情報と通学路の位置情報が一致した場合、または、危険地点と通学路間の距離が所定距離以内であった場合に、危険情報を所定の相手に送信する手段をさらに有することを特徴とする請求項１，２または３記載の通学路の危険情報通知システム。
【請求項５】
前記学校サーバが抽出する危険情報は、年月日が当日で現在時刻よりも後の時刻が危険発生時間帯として登録された危険情報であることを特徴とする請求項１，２，３または４記載の通学路の危険情報通知システム。
【請求項６】
前記危険情報は危険地点周辺の地図情報のＵＲＬを含み、前記生徒携帯端末は前記ＵＲＬにアクセスして地図情報を参照する手段をさらに有することを特徴とする請求項１〜５のいずれか１項記載の通学路の危険情報通知システム。
【請求項７】
前記危険地点の位置情報は、インターネット上の地図検索サイトにおいて危険情報提供者から指定された地図上の位置に基づいて検索された緯度，経度情報であることを特徴とする請求項１〜６のいずれか１項記載の通学路の危険情報通知システム
【請求項８】
通学路の位置情報が登録された記憶手段と、ＩＣタグリーダライタから書き込まれた危険情報を記憶するＩＣタグと、前記危険情報に含まれる危険地点の位置情報と前記記憶手段に登録された通学路の位置情報とを照合する手段と、照合の結果一致した場合に危険情報を表示する手段と、一致しなかった場合は危険地点と通学路間の距離を算出し、その距離が所定距離以内かを判別する手段と、所定距離以内であった場合に危険情報を表示する手段とを有することを特徴とする生徒携帯端末。
【請求項９】
通学路の位置情報が登録された記憶手段と、学校サーバに危険情報の提供を要求する手段と、前記学校サーバから受信した危険情報に含まれる危険地点の位置情報と前記記憶手段に登録された通学路の位置情報とを照合する手段と、照合の結果一致した場合に危険情報を表示する手段と、一致しなかった場合は危険地点と通学路間の距離を算出し、その距離が所定距離以内かを判別する手段と、所定距離以内であった場合に危険情報を表示する手段とを有することを特徴とする生徒携帯端末。
【請求項１０】
危険地点の位置情報と通学路の位置情報が一致した場合、または、危険地点と通学路間の距離が所定距離以内であった場合に、危険情報を所定の相手に送信する手段を、さらに有することを特徴とする請求項８または９記載の生徒携帯端末。
【請求項１１】
前記危険情報は危険地点周辺の地図情報のＵＲＬを含み、前記ＵＲＬにアクセスして地図情報を参照する手段をさらに有することを特徴とする請求項８，９または１０記載の生徒携帯端末。
【請求項１２】
携帯端末が外部装置から危険情報を受信し、前記危険情報に含まれる危険地点の位置情報と自端末に登録された通学路の位置情報とを照合し、一致した場合、または、危険地点と通学路間の距離が所定距離以内であった場合に、前記危険情報を表示するとともに所定の相手に送信することを特徴とする通学路の危険情報通知方法。
【請求項１３】
学校の出入口等に設置されたＩＣタグリーダライタと、学校サーバと、生徒携帯端末とを用いた通学路の危険情報通知方法であって、
前記ＩＣタグリーダライタが前記生徒携帯端末に備えられたＩＣタグから生徒ＩＤを取得して前記学校サーバに送信するステップと、受信した生徒ＩＤが登録されているかを前記学校サーバが照合するステップと、登録されていた場合に、年月日が当日で現在時刻よりも後の時刻が危険発生時間帯として登録された危険情報を前記学校サーバが抽出して前記ＩＣタグリーダライタに送信するステップと、前記ＩＣタグリーダライタが受信した危険情報を前記ＩＣタグに書き込むステップと、前記生徒携帯端末が予め登録された通学路の位置情報を取得し、前記ＩＣタグに書き込まれた危険情報に含まれる危険地点の位置情報と照合するステップと、照合の結果一致した場合に前記生徒携帯端末が危険情報を表示するステップと、一致しなかった場合は前記生徒携帯端末が危険地点と通学路間の距離を算出し、その距離が所定距離以内かを判別するステップと、所定距離以内であった場合に前記生徒携帯端末が危険情報を表示するステップと、危険地点の位置情報と通学路の位置情報が一致した場合、または、危険地点と通学路間の距離が所定距離以内であった場合に、前記生徒携帯端末が危険情報を所定の相手に送信するステップと、を有することを特徴とする通学路の危険情報通知方法。
【請求項１４】
学校サーバと生徒携帯端末とを用いた通学路の危険情報通知方法であって、
前記生徒携帯端末が前記学校サーバに生徒ＩＤを送信し危険情報の提供を要求するステップと、受信した生徒ＩＤが登録されているかを前記学校サーバが照合するステップと、登録されていた場合に、年月日が当日で現在時刻よりも後の時刻が危険発生時間帯として登録された危険情報を前記学校サーバが抽出して前記生徒携帯端末に送信するステップと、前記生徒携帯端末が予め登録された通学路の位置情報を取得し、受信した危険情報に含まれる危険地点の位置情報と照合するステップと、照合の結果一致した場合に前記生徒携帯端末が危険情報を表示するステップと、一致しなかった場合は前記生徒携帯端末が危険地点と通学路間の距離を算出し、その距離が所定距離以内かを判別するステップと、所定距離以内であった場合に前記生徒携帯端末が危険情報を表示するステップと、危険地点の位置情報と通学路の位置情報が一致した場合、または、危険地点と通学路間の距離が所定距離以内であった場合に、前記生徒携帯端末が危険情報を所定の相手に送信するステップと、を有することを特徴とする通学路の危険情報通知方法。
【請求項１５】
通学路の位置情報を登録する機能、ＩＣタグリーダライタから送信された危険情報をＩＣタグに記憶する機能、前記危険情報に含まれる危険地点の位置情報と前記通学路の位置情報とを照合する機能、照合の結果一致した場合に前記危険情報を表示する機能、一致しなかった場合は危険地点と通学路間の距離を算出し、その距離が所定距離以内かを判別する機能、所定距離以内であった場合に前記危険情報を表示する機能、危険地点の位置情報と通学路の位置情報が一致した場合、または、危険地点と通学路間の距離が所定距離以内であった場合に、前記危険情報を所定の相手に送信する機能、前記危険情報に含まれるＵＲＬにアクセスして危険地点周辺の地図情報を参照する機能、をコンピュータに実現させるためのプログラム。
【請求項１６】
通学路の位置情報を登録する機能、インターネットを介して外部装置に危険情報の提供を要求する機能、前記外部装置から受信した危険情報に含まれる危険地点の位置情報と前記通学路の位置情報とを照合する機能、照合の結果一致した場合に前記危険情報を表示する機能、一致しなかった場合は危険地点と通学路間の距離を算出し、その距離が所定距離以内かを判別する機能、所定距離以内であった場合に前記危険情報を表示する機能、危険地点の位置情報と通学路の位置情報が一致した場合、または、危険地点と通学路間の距離が所定距離以内であった場合に、前記危険情報を所定の相手に送信する機能、前記危険情報に含まれるＵＲＬにアクセスして危険地点周辺の地図情報を参照する機能、をコンピュータに実現させるためのプログラム。
【発明の詳細な説明】
【技術分野】
【０００１】
本発明は、学校等に通学する生徒に対して通学路における危険情報を事前に通知する通学路の危険情報通知システム，生徒携帯端末，通学路の危険情報通知方法およびプログラムに関する。
【背景技術】
【０００２】
従来から、児童や生徒等が学校の登下校時に事故に遭遇したり、犯罪がらみの事件に巻き込まれるといったことがあり、その対策が求められている。
【０００３】
その一環として、特開２００４−１９２２８３号公報（特許文献１）においては、情報提供者によりサーバに登録された危険情報をインターネットを介して閲覧可能にしたり、危険情報を児童や生徒等の保護者にメール配信するシステムが開示されている。
【０００４】
また、特開２００４−８６３９４号公報（特許文献２）においては、ＩＣタグを内蔵したカードを子供に持たせ、子供が教育機関の出入り口を通過する際にＩＣタグリーダにＩＣタグを読ませて登下校を管理するシステムが開示されている。このシステムにおいては、ＩＣタグから子供の識別情報を読み取って登下校時刻とともに管理サーバに登録するとともに、子供の保護者に対して登下校時刻情報をメール送信している。
【０００５】
【特許文献１】特開２００４−１９２２８３号公報（段落「００２３」〜「００２４」、図１）
【特許文献２】特開２００４−８６３９４号公報（段落「００２３」〜「００２６」、図１）
【発明の開示】
【発明が解決しようとする課題】
【０００６】
上述した特許文献１においては、危険情報を保護者に通知しているが、子供が登校した後に通知を受けた場合等は子供に伝えられない場合があったり、子供の通学路に関係ある危険情報だけを知りたくても全ての危険情報が通知されてしまうという問題がある。
【０００７】
また、上述した特許文献２においては、子供の登校時刻，下校時刻が保護者に通知されるため、学校に到着したことや子供が自宅に戻ってくる時刻の目安を知ることは可能である。しかし、登下校の途中に工事や不審者出没等の危険箇所が存在する場合に、それらを知る術はないため、登下校中に事故や犯罪等に巻き込まれること自体を予防することはできないという問題がある。
【０００８】
本発明の目的は、以上の課題を解決する通学路の危険情報通知システム，生徒携帯端末，通学路の危険情報通知方法およびプログラムを提供することにある。
【課題を解決するための手段】
【０００９】
本発明の第１の通学路の危険情報通知システムは、学校の出入口等に設置されたＩＣタグリーダライタと、学校サーバと、生徒携帯端末とを備えた通学路の危険情報通知システムであって、
前記ＩＣタグリーダライタは、前記生徒携帯端末に備えられたＩＣタグから生徒ＩＤを取得して前記学校サーバに送信する手段と、前記学校サーバから受信した危険情報を前記ＩＣタグに書き込む手段とを有し、
前記学校サーバは、生徒情報が登録された第１のデータベースと、危険情報が登録された第２のデータベースと、受信した生徒ＩＤが前記第１のデータベースに登録されているかを照合する手段と、登録されていた場合に、前記第２のデータベースから危険情報を抽出して前記ＩＣタグリーダライタに送信する手段とを有し、
前記生徒携帯端末は、通学路の位置情報が登録された記憶手段と、前記ＩＣタグに書き込まれた危険情報に含まれる危険地点の位置情報と前記記憶手段に登録された通学路の位置情報とを照合する手段と、照合の結果一致した場合に危険情報を表示する手段と、一致しなかった場合は危険地点と通学路間の距離を算出し、その距離が所定距離以内かを判別する手段と、所定距離以内であった場合に危険情報を表示する手段とを有する。
【００１０】
本発明の第２の通学路の危険情報通知システムは、本発明の第１の通学路の危険情報通知システムにおいて、前記ＩＣタグリーダライタは、自装置が登校時，下校時のいずれに設定されているかを検出する手段をさらに有し、生徒ＩＤを前記学校サーバに送信するときに登校時または下校時の情報を併せて送信し、前記学校サーバは下校時情報を受信した場合に前記危険情報の抽出，送信処理を行うことを特徴とする。
【００１１】
本発明の第３の通学路の危険情報通知システムは、生徒携帯端末と学校サーバとを備えた通学路の危険情報通知システムであって、
前記生徒携帯端末は、通学路の位置情報が登録された記憶手段と、前記学校サーバに生徒ＩＤを送信し危険情報の提供を要求する手段と、前記学校サーバから受信した危険情報に含まれる危険地点の位置情報と前記記憶手段に登録された通学路の位置情報とを照合する手段と、照合の結果一致した場合に危険情報を表示する手段と、一致しなかった場合は危険地点と通学路間の距離を算出し、その距離が所定距離以内かを判別する手段と、所定距離以内であった場合に危険情報を表示する手段とを有し、
前記学校サーバは、生徒情報が登録された第１のデータベースと、危険情報が登録された第２のデータベースと、受信した生徒ＩＤが前記第１のデータベースに登録されているかを照合する手段と、登録されていた場合に、前記第２のデータベースから危険情報を抽出して前記生徒携帯端末に送信する手段とを有する。
【００１２】
本発明の第４の通学路の危険情報通知システムは、本発明の第１，第２または第３の通学路の危険情報通知システムにおいて、前記生徒携帯端末は、危険地点の位置情報と通学路の位置情報が一致した場合、または、危険地点と通学路間の距離が所定距離以内であった場合に、危険情報を所定の相手に送信する手段をさらに有する。
【００１３】
本発明の第５の通学路の危険情報通知システムは、本発明の第１，第２，第３または第４の通学路の危険情報通知システムにおいて、前記学校サーバが抽出する危険情報は、年月日が当日で現在時刻よりも後の時刻が危険発生時間帯として登録された危険情報であることを特徴とする。
【００１４】
本発明の第６の通学路の危険情報通知システムは、本発明の第１〜第５のいずれかの通学路の危険情報通知システムにおいて、前記危険情報は危険地点周辺の地図情報のＵＲＬを含み、前記生徒携帯端末は前記ＵＲＬにアクセスして地図情報を参照する手段をさらに有する。
【００１５】
本発明の第７の通学路の危険情報通知システムは、本発明の第１〜第６のいずれかの通学路の危険情報通知システムにおいて、前記危険地点の位置情報は、インターネット上の地図検索サイトにおいて危険情報提供者から指定された地図上の位置に基づいて検索された緯度，経度情報であることを特徴とする
本発明の第１の生徒携帯端末は、通学路の位置情報が登録された記憶手段と、ＩＣタグリーダライタから書き込まれた危険情報を記憶するＩＣタグと、前記危険情報に含まれる危険地点の位置情報と前記記憶手段に登録された通学路の位置情報とを照合する手段と、照合の結果一致した場合に危険情報を表示する手段と、一致しなかった場合は危険地点と通学路間の距離を算出し、その距離が所定距離以内かを判別する手段と、所定距離以内であった場合に危険情報を表示する手段とを有する。
【００１６】
本発明の第２の生徒携帯端末は、通学路の位置情報が登録された記憶手段と、学校サーバに危険情報の提供を要求する手段と、前記学校サーバから受信した危険情報に含まれる危険地点の位置情報と前記記憶手段に登録された通学路の位置情報とを照合する手段と、照合の結果一致した場合に危険情報を表示する手段と、一致しなかった場合は危険地点と通学路間の距離を算出し、その距離が所定距離以内かを判別する手段と、所定距離以内であった場合に危険情報を表示する手段とを有する。
【００１７】
本発明の第３の生徒携帯端末は、本発明の第１または第２の生徒携帯端末において、危険地点の位置情報と通学路の位置情報が一致した場合、または、危険地点と通学路間の距離が所定距離以内であった場合に、危険情報を所定の相手に送信する手段を、さらに有する。
【００１８】
本発明の第４の生徒携帯端末は、本発明の第１，第２または第３の生徒携帯端末において、前記危険情報は危険地点周辺の地図情報のＵＲＬを含み、前記ＵＲＬにアクセスして地図情報を参照する手段をさらに有する。
【００１９】
本発明の第１の通学路の危険情報通知方法は、携帯端末が外部装置から危険情報を受信し、前記危険情報に含まれる危険地点の位置情報と自端末に登録された通学路の位置情報とを照合し、一致した場合、または、危険地点と通学路間の距離が所定距離以内であった場合に、前記危険情報を表示するとともに所定の相手に送信することを特徴とする。
【００２０】
本発明の第２の通学路の危険情報通知方法は、学校の出入口等に設置されたＩＣタグリーダライタと、学校サーバと、生徒携帯端末とを用いた通学路の危険情報通知方法であって、
前記ＩＣタグリーダライタが前記生徒携帯端末に備えられたＩＣタグから生徒ＩＤを取得して前記学校サーバに送信するステップと、受信した生徒ＩＤが登録されているかを前記学校サーバが照合するステップと、登録されていた場合に、年月日が当日で現在時刻よりも後の時刻が危険発生時間帯として登録された危険情報を前記学校サーバが抽出して前記ＩＣタグリーダライタに送信するステップと、前記ＩＣタグリーダライタが受信した危険情報を前記ＩＣタグに書き込むステップと、前記生徒携帯端末が予め登録された通学路の位置情報を取得し、前記ＩＣタグに書き込まれた危険情報に含まれる危険地点の位置情報と照合するステップと、照合の結果一致した場合に前記生徒携帯端末が危険情報を表示するステップと、一致しなかった場合は前記生徒携帯端末が危険地点と通学路間の距離を算出し、その距離が所定距離以内かを判別するステップと、所定距離以内であった場合に前記生徒携帯端末が危険情報を表示するステップと、危険地点の位置情報と通学路の位置情報が一致した場合、または、危険地点と通学路間の距離が所定距離以内であった場合に、前記生徒携帯端末が危険情報を所定の相手に送信するステップと、を有する。
【００２１】
本発明の第３の通学路の危険情報通知方法は、学校サーバと生徒携帯端末とを用いた通学路の危険情報通知方法であって、
前記生徒携帯端末が前記学校サーバに生徒ＩＤを送信し危険情報の提供を要求するステップと、受信した生徒ＩＤが登録されているかを前記学校サーバが照合するステップと、登録されていた場合に、年月日が当日で現在時刻よりも後の時刻が危険発生時間帯として登録された危険情報を前記学校サーバが抽出して前記生徒携帯端末に送信するステップと、前記生徒携帯端末が予め登録された通学路の位置情報を取得し、受信した危険情報に含まれる危険地点の位置情報と照合するステップと、照合の結果一致した場合に前記生徒携帯端末が危険情報を表示するステップと、一致しなかった場合は前記生徒携帯端末が危険地点と通学路間の距離を算出し、その距離が所定距離以内かを判別するステップと、所定距離以内であった場合に前記生徒携帯端末が危険情報を表示するステップと、危険地点の位置情報と通学路の位置情報が一致した場合、または、危険地点と通学路間の距離が所定距離以内であった場合に、前記生徒携帯端末が危険情報を所定の相手に送信するステップと、を有する。
【００２２】
本発明の第１のプログラムは、通学路の位置情報を登録する機能、ＩＣタグリーダライタから送信された危険情報をＩＣタグに記憶する機能、前記危険情報に含まれる危険地点の位置情報と前記通学路の位置情報とを照合する機能、照合の結果一致した場合に前記危険情報を表示する機能、一致しなかった場合は危険地点と通学路間の距離を算出し、その距離が所定距離以内かを判別する機能、所定距離以内であった場合に前記危険情報を表示する機能、危険地点の位置情報と通学路の位置情報が一致した場合、または、危険地点と通学路間の距離が所定距離以内であった場合に、前記危険情報を所定の相手に送信する機能、前記危険情報に含まれるＵＲＬにアクセスして危険地点周辺の地図情報を参照する機能、をコンピュータに実現させる。
【００２３】
本発明の第２のプログラムは、通学路の位置情報を登録する機能、インターネットを介して外部装置に危険情報の提供を要求する機能、前記外部装置から受信した危険情報に含まれる危険地点の位置情報と前記通学路の位置情報とを照合する機能、照合の結果一致した場合に前記危険情報を表示する機能、一致しなかった場合は危険地点と通学路間の距離を算出し、その距離が所定距離以内かを判別する機能、所定距離以内であった場合に前記危険情報を表示する機能、危険地点の位置情報と通学路の位置情報が一致した場合、または、危険地点と通学路間の距離が所定距離以内であった場合に、前記危険情報を所定の相手に送信する機能、前記危険情報に含まれるＵＲＬにアクセスして危険地点周辺の地図情報を参照する機能、をコンピュータに実現させる。
【発明の効果】
【００２４】
本発明においては、予め通学路の位置情報が登録された生徒携帯端末に危険情報を送信し、生徒携帯端末における位置情報照合の結果、危険地点が通学路上または通学路から所定距離内にあった場合に危険情報を表示するようにしている。これにより、各生徒は自動的に取捨選択された自分の通学路に関係のある危険情報だけを知ることができるという効果が得られる。
【発明を実施するための最良の形態】
【００２５】
本発明の実施の形態について図面を参照して詳細に説明する。
【００２６】
図１は、本発明の一実施の形態の構成を示す図であり、情報提供者端末１０と、地図情報提供サーバ２０と、ＩＣタグリーダライタ３０と、学校サーバ４０と、生徒携帯端末５０とを備えている。情報提供者端末１０，地図情報提供サーバ２０，学校サーバ４０，生徒携帯端末５０の相互間はインターネット等のネットワーク１００により接続され、ＩＣタグリーダライタ３０と学校サーバ間はＬＡＮ(Local Area Network)２００により接続される。
【００２７】
情報提供者端末１０は、危険情報を提供する自治体，警察，地域住民等の情報提供者が使用するパーソナルコンピュータ等の情報処理装置である。この情報提供者端末１０は、ネットワーク１００を介して地図情報提供サーバ２０にアクセスする機能と、情報提供者から入力された危険情報等を地図情報提供サーバ２０に送信する機能とを備えている。なお、危険情報とは、不審者の出没や農薬の散布，崖崩れ等、児童や生徒等に危険が及ぶと思われる情報である。
【００２８】
地図情報提供サーバ２０は、地図情報提供業者に備えられたワークステーション・サーバ等の情報処理装置であり、ネットワーク１００上に地図検索サービスのための地図サイトを提供している。この地図情報提供サーバ２０は、
・住所，郵便番号，ランドマークとなる施設や公園等を基に周辺の地図情報を検索，表示する機能と、
・地図画面上で情報提供者により指定された地点の位置情報（緯度／経度）を検索，取得する機能と、
・地図画面上でメール要求ボタンが押下された場合に、指定地点の位置情報を含むメール送信画面情報を表示する機能と、
・情報提供者による危険情報や宛先のメールアドレス入力が終了しメール送信ボタンが押下された場合にメール送信する機能と、
を備えている。
【００２９】
ＩＣタグリーダライタ３０は、学校の出入口付近（例えば、校門付近）、校舎の出入口付近、教室の出入口付近等、生徒が登下校時に必ず通過する場所に設置される。このＩＣタグリーダライタ３０は、生徒携帯端末５０のＩＣタグ５６との間で非接触通信によるデータの読み出し，書き込みを行う機能と、学校サーバ４０との間でＬＡＮ２００を介してデータ送受信する機能とを備えている。ここで言うデータとは、ＩＣタグ５６からの読み出し時は生徒ＩＤであり、書き込み時は危険情報である。なお、生徒ＩＤは生徒を一意に識別する識別情報であり、後述するように、ＩＣタグ５６に予め書き込まれている。また、このＩＣタグリーダライタ３０は登校時，下校時を選択するための画面上のボタンや物理的なボタン等と、登校時，下校時のいずれの選択状態になっているかを検出する機能とを備えている。そして、登校時または下校時の情報はＩＣタグリーダライタ３０の図示しない表示部に表示されるとともに、学校サーバ４０への生徒ＩＤ送信時に併せて送信される。
【００３０】
学校サーバ４０は、学校に備えられたワークステーション・サーバ等の情報処理装置である。なお、本発明における学校とは、小学校，中学校，高等学校等に限定されず、幼稚園，大学，学習塾等も含んでいる。また、以降の説明においては、小学校における児童や、中学校，高等学校における生徒、大学における学生、幼稚園における園児、学習塾における塾生等を一括して生徒として説明する。この学校サーバ４０は、登録された危険情報をネットワーク１００上に公開しており、制御部４１と、記憶部４２とを備えている。
【００３１】
制御部４１は、ＣＰＵ(Central Processing Unit)等の制御装置であり、プログラムに
より動作を制御される。この制御部４１は、
・生徒ＩＤ対応に生徒情報を生徒情報データベース４２１に登録する機能と、
・受信した危険情報メールから年月日，時間帯，危険地点の位置情報，危険内容を抽出し、登下校時危険情報データベース４２２に登録する機能と、
・生徒携帯端末５０またはＩＣタグリーダライタ３０からの生徒ＩＤ受信時に、受信した生徒ＩＤが生徒情報データベース４２１に登録されているかを照合する機能と、
・照合の結果、登録されていた場合に、危険情報を登下校時危険情報データベース４２２から取得し、生徒携帯端末５０に送信、または、ＩＣタグリーダライタ３０への書き込みを指示する機能と、
を備えている。
【００３２】
記憶部４２は読み出し，書き込み可能な記憶装置であり、生徒情報データベース４２１と登下校時危険情報データベース４２２とを含んでいる。生徒情報データベース４２１には、図２（生徒情報データベース４２１に格納されるデータの一例を示す図）に示すように、生徒ＩＤ（生徒を一意に識別可能な番号等）対応に氏名等の生徒情報が予め登録されている。登下校時危険情報データベース４２２には、図３（登下校時危険情報データベース４２２に格納されるデータの一例を示す図）に示すように、年月日，時間帯，危険地点の位置情報，危険内容等の危険情報が登録される。なお、年月日，時間帯は危険が発生する年月日，時間帯であり、危険地点の位置情報は緯度，経度である。また、危険内容は、例えば、ＸＸ公園付近に不審者が出没等の内容である。
【００３３】
生徒携帯端末５０は、生徒が登下校時に携帯する携帯電話機，ＰＨＳ(Personal Handyphone System)，ＰＤＡ(Personal Digital Assistance)等の携帯情報端末である。この生
徒携帯端末５０は、無線部５１と、アンテナ５２と、位置情報取得部５３と、操作部５４と、表示部５５と、ＩＣタグ５６と、制御部５７と、記憶部５８とを備えている。無線部５１は図示しない基地局との間でアンテナ５２を介して無線信号の送受信を行う通信装置である。位置情報取得部５３は、複数のＧＰＳ(Global Positioning System)衛星から到
来する信号を捕捉し、位置情報（緯度／経度等）を演算，取得する機能を備えている。操作部５４はテンキー，機能キー，ポインティングデバイス等の入力装置であり、表示部５５はＬＣＤ(Liquid Crystal Display)等の表示装置である。ＩＣタグ５６は、ＲＦＩＤ(Radio Frequency Identification)等の非接触型無線ＩＣタグであり、読み取り，書き込み可能な図示しない二つのメモリ（第１のメモリ、第２のメモリ）を内蔵している。第１のメモリには生徒ＩＤが予め書き込まれている。第２のメモリには下校時にＩＣタグリーダライタ３０から危険情報が書き込まれる。
【００３４】
制御部５７は、ＣＰＵ等の制御装置であり、プログラムにより動作を制御される。この制御部５７は、
・ネットワーク１００を介して学校サーバ４０にアクセスし、危険情報を取得する機能と、
・学校サーバ４０から危険情報を取得したとき、または、ＩＣタグ５６に危険情報が書き込まれたときに、危険情報に含まれる危険地点の位置情報と記憶部５８に格納された通学路の位置情報との距離を算出する機能と、
・算出した距離が所定距離内であった場合に、危険情報を表示部５５に表示する機能と、
・算出した距離が所定距離内であった場合に、危険情報を含むメールを生成し保護者のメールアドレス宛に送信する機能と、
を備えている。
【００３５】
記憶部５８は読み出し，書き込み可能な記憶装置であり、危険情報，通学路位置情報，保護者メールアドレスが格納される。なお、通学路位置情報とは、生徒の自宅と学校間の通学路の位置情報であり、緯度，経度情報が予め格納される。この通学路位置情報については、生徒や保護者が通学路上の複数地点において位置情報取得部５３により位置情報を取得し、各地点の位置情報を記憶部５８に登録しておくものとする。この複数地点の選択については、例えば、通学路上の所定距離毎にする等、任意である。
【００３６】
次に、本発明の一実施の形態の動作について図面を参照して詳細に説明する。
【００３７】
最初に、情報提供者による危険情報登録時の動作について図１，図３および図４を参照して説明する。図４は、本発明の一実施の形態における危険情報登録時の動作を示すフローチャートである。
【００３８】
図４を参照すると、自治体，警察，地域住民等の情報提供者は情報提供者端末１０から地図情報提供サーバ２０がネットワーク１００上に開設している地図サイトに接続する。そして、情報提供者は、地図情報提供サーバ２０から受信した地図検索画面上で危険地点の住所やランドマークとなる施設名，公園名等を入力し、地図情報を検索要求する（ステップＡ１）。地図情報提供サーバ２０は、入力された住所や施設名，公園名等の位置を含む近辺の地図情報を、図示しない地図データベースから検索，取得して情報提供者端末１０に送信し（ステップＡ２）、情報提供者端末１０は受信した地図情報を表示する（ステップＡ３）。次に、情報提供者は地図画面上で危険地点をクリック等により指定するとともに、画面上のメール要求ボタンを押下することにより、指定地点情報とメール要求情報を地図情報提供サーバ２０に送信する（ステップＡ４，Ａ５）。地図情報提供サーバ２０は、受信した地図上の指定地点情報からその地点の位置情報（緯度，経度）を図示しない地図データベースから検索，取得する（ステップＡ６）。次に、地図情報提供サーバ２０は、メール要求情報を受信したことによりメール送信画面情報を図示しない記憶部から取得し、ステップＡ６で取得した危険地点の位置情報を本文部分に記入したメール送信画面情報を情報提供者端末１０に送信する（ステップＡ７）。
【００３９】
情報提供者は受信したメール送信画面上で、宛先として学校サーバ４０のメールアドレスを入力し、本文部分に危険情報を入力した後、画面上のメール送信ボタンを押下する。このとき、危険情報としては、危険地点の位置情報（緯度，経度），年月日，時間帯，危険内容を入力するが、この危険情報はＩＣタグ５６に書き込まれるため、ＩＣタグ５６の記憶容量（例えば、１２０バイトであれば６０文字）以内で作成する。このため、地図情報提供サーバ２０が情報提供者端末１０に送信するメール送信画情報に、危険地点の緯度，経度，年月日，時間帯，危険内容を６０文字以内で記入するよう注記しておくことが望ましい（ステップＡ８）。ステップＡ８においてメール送信ボタンが押下されると、情報提供者端末１０はメール送信画面情報を地図情報提供サーバ２０に送信してメール送信を要求する（ステップＡ９）。
【００４０】
メール送信要求を受信した地図情報提供サーバ２０は、受信したメール送信画面情報を危険情報メールとして学校サーバ４０のメールアドレスに送信する。なお、このメールアドレスは学校サーバ４０の危険情報受信用のメールアドレスとなっている（ステップＡ１０）。学校サーバ４０の制御部４１は危険情報メールを受信すると、メール本文から年月日，時間帯，危険地点の位置情報（緯度，経度），危険内容を抽出し、これらの内容を登下校時危険情報データベース４２２に登録する（図３参照）（ステップＡ１１，Ａ１２）。
【００４１】
次に、生徒の下校時における危険情報通知時の動作について図１，図２，図３および図５を参照して説明する。図５は、本発明の一実施の形態の下校時における危険情報通知時の動作を示すフローチャートである。
【００４２】
図５を参照すると、生徒が下校時に生徒携帯端末５０をＩＣタグリーダライタ３０にかざすと、ＩＣタグリーダライタ３０は生徒携帯端末５０のＩＣタグ５６から生徒ＩＤを取得する（ステップＢ１）。そして、ＩＣタグリーダライタ３０は、取得した生徒ＩＤを学校サーバ４０に送信する。このとき、ＩＣタグリーダライタ３０では画面上や物理的な選択ボタンにより下校時が選択されており、この下校時であることの情報と併せて生徒ＩＤが送信される。なお、この登校時，下校時の選択は学校職員や生徒により行われ、どちらの状態かが画面上の表示や物理的な選択ボタンの押下状態から判別可能となっている（ステップＢ２）。
【００４３】
学校サーバ４０の制御部４１は、生徒ＩＤ，下校時情報を受信し現在時刻と合わせて図示しない登下校管理データベースに登録する。これにより、生徒毎の下校管理（各生徒が何時に下校したかの管理）が可能となる。また、下校時だけでなく、登校時にも生徒携帯端末５０をＩＣタグリーダライタ３０にかざすことにより、登校管理（各生徒が何時に登校したかの管理）が可能となる。なお、これらの登下校管理については、上述した背景技術の特許文献２（特開２００４−８６３９４号公報）にも記載されており、本発明の主旨とするところでもないため詳細な説明は省略する。本発明においては、生徒ＩＤ，下校時情報を受信した学校サーバ４０の制御部４１は、受信した生徒ＩＤが生徒情報データベース４２１（図２参照）に登録されているかを照合することにより認証処理を行う（ステップＢ３）。認証された場合、すなわち、受信した生徒ＩＤが生徒情報データベース４２１に登録されていた場合は、制御部４１は登下校時危険情報データベース４２２（図３参照）を参照する（ステップＢ４，Ｂ５）。そして、制御部４１は、図示しない時計部から現在日時情報を取得し、年月日が当日で現在時刻よりも後の時間帯を含む危険情報が登録されているかを検索する（ステップＢ６）。登録されていた場合は、制御部４１は該当する危険情報を登下校時危険情報データベース４２２から抽出し、ＩＣタグリーダライタ３０に対して該当危険情報の書き込みを指示する（ステップＢ７）。ＩＣタグリーダライタ３０は、該当危険情報を生徒携帯端末５０のＩＣタグ５６に書き込む。このとき、ＩＣタグ５６に前回の危険情報が記録されていた場合は、今回の危険情報が上書き更新される（ステップＢ８）。
【００４４】
生徒携帯端末５０の制御部５７は、ＩＣタグ５６に書き込まれた危険情報を記憶部５８にも保存する。記憶部５８にも保存することにより、以前の危険情報の履歴を参照することが可能になる。また、危険情報が複数あった場合、ＩＣタグ５６の記憶容量の関係で１件受信する毎に記憶部５８にも保存している（ステップＢ９）。次に、制御部５７は記憶部５８に格納された通学路位置情報（緯度，経度）を取得する（ステップＢ１０）。そして、制御部５７は、受信した危険情報に含まれる危険地点の位置情報（緯度，経度）と通学路位置情報が一致するかを照合し、一致する位置情報があった場合は、ＩＣタグリーダライタ３０から受信した危険情報を表示部５５に表示する。これにより、それぞれの生徒の通学路に関係ある危険情報を表示することになり、生徒は表示された危険情報を閲覧する（ステップＢ１１→ステップＢ１４）。
【００４５】
一致しなかった場合は、制御部５７は危険地点と通学路間の距離を算出する。この距離の算出については、例えば、両位置情報の緯度差／経度差を求め、図示しない記憶エリアに格納された緯度／経度の例えば１秒当たりの距離データを緯度差／経度差にそれぞれ掛けて三角法（ピタゴラスの定理）により算出する。なお、高度情報も用いるようにしてもよいが、本発明においては大まかな距離が分かればよく精度は要求されないため、緯度／経度情報による算出で十分である。また、危険地点と通学路間の距離算出は、通学路が危険地点から所定距離以内にあるかを判別する目的であるため、通学路の複数の位置情報の中から危険地点の位置情報に最も近い位置情報を選択して行えばよい。例えば、危険地点の位置情報と緯度，経度それぞれの差の合計が最も小さい通学路位置情報を選択する、等（ステップＢ１１→ステップＢ１２）。制御部５７は、算出された距離が所定距離以内であった場合に、ＩＣタグリーダライタ３０から受信した危険情報を表示部５５に表示する。これにより、それぞれの生徒の通学路に関係ある危険情報を表示することになり、生徒は表示された危険情報を閲覧する（ステップＢ１３→ステップＢ１４）。危険情報を表示部５５に表示した後、制御部５７は危険情報を含むメールを生成し、記憶部５８から保護者のメールアドレスを取得して保護者宛にメール送信する（ステップＢ１５）。
【００４６】
次に、生徒の登校時における危険情報通知時の動作について図１，図２，図３および図６を参照して説明する。図６は、本発明の一実施の形態の登校時における危険情報通知時の動作を示すフローチャートである。
【００４７】
図６を参照すると、生徒は登校前に学校サーバ４０がネットワーク１００上に開設している学校情報サイトに生徒携帯端末５０からアクセスし、生徒ＩＤを操作部５４から入力して送信する（ステップＣ１）。生徒ＩＤを受信した学校サーバ４０の制御部４１は、受信した生徒ＩＤが生徒情報データベース４２１（図２参照）に登録されているかを照合することにより認証処理を行う（ステップＣ２）。認証された場合、すなわち、受信した生徒ＩＤが生徒情報データベース４２１に登録されていた場合は、制御部４１はメニュー画面情報を生徒携帯端末５０に送信する（ステップＣ３，Ｃ４）。生徒は生徒携帯端末５０に表示されたメニュー画面上で、危険情報メニューを操作部５４によるクリック等により選択し危険情報要求情報を学校サーバ４０に送信する（ステップＣ５）。危険情報要求情報を受信した学校サーバ４０の制御部４１は、登下校時危険情報データベース４２２（図３参照）を参照する。そして、制御部４１は、図示しない時計部から現在日時情報を取得し、年月日が当日で現在時刻よりも後の時間帯を含む危険情報が登録されているかを検索する。登録されていた場合は、制御部４１は該当する危険情報を登下校時危険情報データベース４２２から抽出し、生徒携帯端末５０に送信する（ステップＣ６）。
【００４８】
生徒携帯端末５０の制御部５７は、受信した危険情報を記憶部５８に保存する（ステップＣ７）。次に、制御部５７は記憶部５８に格納された通学路位置情報（緯度，経度）を取得する（ステップＣ８）。そして、制御部５７は、受信した危険情報に含まれる危険地点の位置情報（緯度，経度）と通学路位置情報が一致するかを照合し、一致する位置情報があった場合は、学校サーバ４０から受信した危険情報を表示部５５に表示する（ステップＣ９→ステップＣ１２）。
【００４９】
一致しなかった場合は、制御部５７は危険地点と通学路間の距離を算出する。この距離の算出の詳細については、ステップＢ１２で説明したものと同じであるため、ここでの説明は省略する（ステップＣ９→ステップＣ１０）。制御部５７は、算出された距離が所定距離以内であった場合に、学校サーバ４０から受信した危険情報を表示部５５に表示する（ステップＣ１１→ステップＣ１２）。なお、ステップＣ１１において算出された距離が所定距離以内でなかった場合は、制御部５７は該当する危険情報がない旨を表示部５５に表示して処理を終了する。ステップＣ１２において危険情報を表示部５５に表示した後、制御部５７は危険情報を含むメールを生成し、記憶部５８から保護者のメールアドレスを取得して保護者宛にメール送信する（ステップＣ１３）。
【００５０】
以上説明したように、本実施の形態においては、予め通学路の位置情報が登録された生徒携帯端末５０に危険情報を送信し、位置情報照合の結果、危険地点が通学路上または通学路から所定距離内にあった場合に危険情報を表示するようにしている。これにより、各生徒は自動的に取捨選択された自分の通学路に関係のある危険情報だけを知ることができるという効果がある。
【００５１】
また、本実施の形態の下校時においては、危険情報をＩＣタグリーダライタ３０から生徒携帯端末５０のＩＣタグ５６に非接触通信により書き込むようにしている。これにより、生徒は生徒携帯端末５０をＩＣタグリーダライタ３０にかざすだけで危険情報が得られるという効果が得られる。
【００５２】
次に、本発明の応用例，変形例等について説明する。
【００５３】
・危険情報は年月日，時間帯，危険地点の位置情報および危険内容を含むとして説明したが、さらに危険地点の地図情報を加えるようにしてもよい。そのためには、情報提供者による危険情報登録時において、図４のステップＡ１０における学校サーバ４０へのメール送信時に、地図情報提供サーバ２０は危険地点にマークを付した危険地点周辺の地図情報をメールに添付して送信する。そして、ステップＡ１２において、学校サーバ４０の制御部４１は受信した地図情報対応にＵＲＬ(Uniform Resource Locator)を付して記憶部５８に格納する。さらに、制御部４１は、登下校時危険情報データベース４２２にそのＵＲＬを、年月日，時間帯，危険地点の位置情報および危険内容と対応付けて登録する。これにより、登校時や下校時において、生徒携帯端末５０に送信される危険情報には地図情報ＵＲＬが含まれることになり、生徒は生徒携帯端末５０に表示された地図情報ＵＲＬにアクセスすれば、危険地点がマークされた地図を見ることができる。以上により、生徒は必要に応じて地図上で危険地点を確認できるという、さらなる効果が得られる。
【００５４】
・上述した一実施の形態の下校時における危険情報通知時の動作（図５）においては、学校サーバ４０がＩＣタグリーダライタ３０から下校時情報と生徒ＩＤを受信したときに、生徒携帯端末５０に危険情報を書き込むとして説明した。これに加え、学校サーバ４０がＩＣタグリーダライタ３０から登校時情報と生徒ＩＤを受信したときにも、生徒携帯端末５０に危険情報を書き込むようにしてもよい。
【００５５】
・危険情報を生徒携帯端末５０に表示するときに、図示しないスピーカ部から所定の音や音声を併せて出力するようにしてもよい。これにより、危険情報の表示に対して注意を促すことができるという、さらなる効果が得られる。
【００５６】
・危険地点は一箇所でもよいし、複数箇所であってもよい。また、危険地点の位置情報は一点だけでなく、幾つかの位置情報で囲まれるエリアとしてもよい。
【図面の簡単な説明】
【００５７】
【図１】本発明の一実施の形態の構成を示す図である。
【図２】生徒情報データベース４２１に格納されるデータの一例を示す図である。
【図３】登下校時危険情報データベース４２２に格納されるデータの一例を示す図である。
【図４】本発明の一実施の形態における危険情報登録時の動作を示すフローチャートである。
【図５】本発明の一実施の形態の下校時における危険情報通知時の動作を示すフローチャートである。
【図６】本発明の一実施の形態の登校時における危険情報通知時の動作を示すフローチャートである。
【符号の説明】
【００５８】
１０    情報提供者端末
２０    地図情報提供サーバ
３０    ＩＣタグリーダライタ
４０    学校サーバ
４１    制御部
４２    記憶部
４２１    生徒情報データベース
４２２    登下校時危険情報データベース
５０    生徒携帯端末
５１    無線部
５２    アンテナ
５３    位置情報取得部
５４    操作部
５５    表示部
５６    ＩＣタグ
５７    制御部
５８    記憶部
１００    ネットワーク
２００    ＬＡＮ
【図１】
2008003828.tif 000003
【図２】
2008003828.tif 000004
【図３】
2008003828.tif 000005
【図４】
2008003828.tif 000006
【図５】
2008003828.tif 000007
【図６】
2008003828.tif 000008